(57)【要約】【課題】本発明は、係合爪が係合孔から外れるのを防止でき、しかも、シャーシを筐体から取り外す必要が生じた場合には、係合爪と係合孔との係合を容易に解除できるシャーシ取り付け構造を得ることにある。【解決手段】シャーシ取り付け構造は、係合爪(27)を有する筐体(5)と、係合爪(27)が取り外し可能に入り込む係合孔(31)を有するシャーシ(15)とを備えている。シャーシ(15)は、係合爪(27)を係合孔(31)の開口縁部に引っ掛けることで筐体(5)に保持される。シャーシ(15)に止め具(33)が取り外し可能に支持されている。止め具(33)は、係合爪(27)が係合孔(31)に入り込んだ状態を維持するように、係合爪(27)とシャーシ(15)の相対的な位置関係を規定する。【選択図】      図５
2009014754.tif 000002
【特許請求の範囲】
【請求項１】
係合爪を有する筐体と、
上記係合爪が取り外し可能に入り込む係合孔を有し、上記係合爪を上記係合孔の開口縁部に引っ掛けることで上記筐体に保持されるシャーシと、
上記シャーシに取り外し可能に支持され、上記係合爪が上記係合孔に入り込んだ状態を維持するように、上記係合爪と上記シャーシの相対的な位置関係を規定する止め具と、を具備することを特徴とするシャーシ取り付け構造。
【請求項２】
請求項１の記載において、上記止め具は、上記係合爪に引っ掛かる第１の係合片と、上記シャーシに引っ掛かる第２の係合片とを有することを特徴とするシャーシ取り付け構造。
【請求項３】
請求項２の記載において、上記止め具の第１の係合片は、上記係合爪が上記係合孔の開口縁部に引っ掛かった状態を維持するように上記係合爪を押さえるとともに、上記止め具の第２の係合片は、上記係合爪に対する上記第１の係合片の接触方向とは反対側から上記シャーシに接触することを特徴とするシャーシ取り付け構造。
【請求項４】
請求項１ないし請求項３のいずれかの記載において、上記止め具は、上記シャーシにねじを介して固定されることを特徴とするシャーシ取り付け構造。
【請求項５】
請求項１の記載において、上記筐体内に収容される収容部品をさらに備えており、上記収容部品は上記シャーシに固定されていることを特徴とするシャーシ取り付け構造。
【請求項６】
係合爪を有する筐体と、
上記筐体内に収容されるディスプレイパネルと、
上記ディスプレイパネルを保持するとともに、上記係合爪が取り外し可能に入り込む係合孔を有し、上記係合爪を上記係合孔の開口縁部に引っ掛けることで上記ディスプレイパネルと一緒に上記筐体に固定されるシャーシと、
上記シャーシに取り外し可能に支持され、上記係合爪が上記係合孔に入り込んだ状態を維持するように、上記係合爪と上記シャーシとの相対的な位置関係を規定する止め具と、を具備することを特徴とするディスプレイ装置。
【請求項７】
請求項６の記載において、上記筐体は、上記ディスプレイパネルが固定されるフロントカバーと、このフロントカバーを背後から覆うバックカバーとを含み、上記フロントカバーは、上記ディスプレイパネルを露出させる開口部と、この開口部を取り囲む周壁とを有し、上記係合爪は上記フロントカバーの周壁に形成されていることを特徴とするディスプレイ装置。
【請求項８】
請求項７の記載において、上記止め具は、上記係合爪が上記係合孔の開口縁部に引っ掛かった状態を維持するように上記係合爪を押さえる第１の係合片と、上記係合爪に対する上記第１の係合片の接触方向とは反対側から上記シャーシに接触する第２の係合片と、を有することを特徴とするディスプレイ装置。
【請求項９】
請求項７又は請求項８の記載において、上記止め具は、上記第１の係合片を上記係合爪に接触させるとともに、上記第２の係合片を上記シャーシに接触させた状態で上記シャーシにねじを介して固定されていることを特徴とするディスプレイ装置。
【発明の詳細な説明】
【技術分野】
【０００１】
本発明は、例えば液晶ディスプレイパネルが固定されたシャーシを筐体に取り付けるための構造に関する。さらに本発明は、液晶ディスプレイパネルを筐体に固定するためのシャーシを有するディスプレイ装置に関する。
【背景技術】
【０００２】
液晶テレビのような薄型テレビは、例えば特許文献１に示されるように、液晶ディスプレイパネルやスピーカユニット等を収容する筐体を備えている。筐体は、フロントカバーと、このフロントカバーを背後から覆うバックカバーとで構成されている。
【０００３】
従来の薄型テレビによると、液晶ディスプレイパネルは、金属製のシャーシを介して筐体のフロントカバーに固定されている。シャーシは、液晶ディスプレイパネルを背後から覆うバックプレートを有し、このバックプレートの外周縁部にフロントカバーの前面に向けて立ち上がる起立壁が形成されている。起立壁は、その先端に略直角に折り曲げられたフランジ部を有している。フランジ部は、フロントカバーの周壁から突出する複数のボス部に突き合わされるとともに、夫々のボス部にねじを介して締め付け固定されている。
【０００４】
このような構成によると、フロントカバーの周壁とシャーシの起立壁との間にボス部を収めるスペースを確保しなくてはならない。そのため、フロントカバーの周壁とシャーシとの間の間隔が広くなり、フロントカバーが大型化したり、フロントカバーのデザイン面での自由度が失われるのを否めない。
【０００５】
この問題を改善するため、例えば特許文献２に示されるように、フロントカバーに爪を設けるとともに、シャーシに弾性変形が可能な締結片を設け、締結片を爪に引っ掛けることで、シャーシをフロントカバーに固定する構造が考えられる。
【特許文献１】特開２００２−１４００１９号公報
【特許文献２】特開２００５−７２５４３号公報
【発明の開示】
【発明が解決しようとする課題】
【０００６】
特許文献２によると、例えば液晶テレビに衝撃が加わった時に、締結片が爪から外れるのを防止するためには、爪に対する締結片のラップ量を増やしたり、締結片の弾性力を大きくすることで、締結片が爪に強固に引っ掛かる構成を採用することが望ましい。
【０００７】
しかしながら、締結片を爪に強固に引っ掛けた場合、フロントカバーからシャーシを取り外す必要が生じた時に、締結片を爪から離脱させる作業に多大な労力を伴うことになる。
【０００８】
よって、シャーシを衝撃に耐え得るように強固にフロントカバーに固定できるものの、シャーシをフロントカバーから取り外すことが困難となり、液晶テレビの保守点検時の作業性が悪くなる。
【０００９】
本発明の目的は、係合爪が係合孔から外れるのを防止でき、しかも、シャーシを筐体から取り外す必要が生じた場合には、係合爪と係合孔との係合を容易に解除できるシャーシ取り付け構造を得ることにある。
【００１０】
本発明の他の目的は、シャーシを筐体に強固に固定でき、しかも、シャーシを筐体から取り外す必要が生じた場合には、係合爪と係合孔との係合を容易に解除できるシャーシ取り付け構造を有するディスプレイ装置を得ることにある。
【課題を解決するための手段】
【００１１】
上記目的を達成するため、本発明の一つの形態に係るシャーシ取り付け構造は、  
係合爪を有する筐体と、上記係合爪が取り外し可能に入り込む係合孔を有し、上記係合爪を上記係合孔の開口縁部に引っ掛けることで上記筐体に保持されるシャーシと、上記シャーシに取り外し可能に支持され、上記係合爪が上記係合孔に入り込んだ状態を維持するように、上記係合爪と上記シャーシの相対的な位置関係を規定する止め具と、を備えることを特徴としている。
【００１２】
さらに、本発明の一つの形態に係るディスプレイ装置は、  
係合爪を有する筐体と、上記筐体内に収容されるディスプレイパネルと、上記ディスプレイパネルを保持するとともに、上記係合爪が取り外し可能に入り込む係合孔を有し、上記係合爪を上記係合孔の開口縁部に引っ掛けることで上記ディスプレイパネルと一緒に上記筐体に固定されるシャーシと、上記シャーシに取り外し可能に支持され、上記係合爪が上記係合孔に入り込んだ状態を維持するように、上記係合爪と上記シャーシとの相対的な位置関係を規定する止め具と、を備えることを特徴としている。
【発明の効果】
【００１３】
本発明によれば、係合爪が係合孔から外れるのを防止でき、シャーシを筐体に強固に固定できる。さらに、止め具をシャーシから取り外すことで、係合爪と係合孔との係合を容易に解除することができ、シャーシを筐体から取り外す際の作業性が向上する。
【発明を実施するための最良の形態】
【００１４】
以下本発明の実施の形態を、液晶テレビに適用した図面に基づいて説明する。
【００１５】
図１は、ディスプレイ装置の一例である薄型の液晶テレビ１を開示している。液晶テレビ１は、偏平なディスプレイ本体２を備えている。ディスプレイ本体２は、スタンド３を介してテレビ台４の上に据え付けられている。ディスプレイ本体２は、テレビ台４の上に据え付けることに限らず、例えば壁掛け金具（図示せず）を用いて屋内の起立した壁面に掛けることもできる。
【００１６】
ディスプレイ本体２は、合成樹脂製の筐体５と、この筐体５の内部に収容されたフラットな液晶ディスプレイパネル６とを含んでいる。液晶ディスプレイパネル６は、筐体５の内部に収容される収容部品の一例である。液晶ディスプレイパネル６は、表示画面６ａと、この表示画面６ａを照らすバックライト（図示せず）とを有している。表示画面６ａは、筐体５の前面に開けた開口部７からディスプレイ本体２の外に露出している。
【００１７】
図１、図５および図６に示すように、筐体５は、フロントカバー８とバックカバー９とを備えている。フロントカバー８は、前壁１１、左右の側壁１２、上壁１３および下壁１４を有している。前壁１１は、開口部７を有している。側壁１２、上壁１３および下壁１４は、前壁１１の外周縁から前壁１２の後方に向けて張り出すとともに、開口部７を取り囲む周壁を構成している。そのため、フロントカバー８は、筐体５の後方に向けて開口するような偏平な箱状をなしている。
【００１８】
バックカバー９は、フロントカバー８の背後から前壁１１、左右の側壁１２、上壁１３および下壁１４に突き合わされて、フロントカバー８を背後から覆っている。
【００１９】
図２および図３に示すように、液晶ディスプレイパネル６は、シャーシ１５を介してフロントカバー８に固定されている。シャーシ１５は、例えば金属板にプレス加工を施した板金プレス加工部品によって構成されている。シャーシ１５は、液晶ディスプレイパネル６とバックカバー９との間に位置するバックプレート１６を有している。バックプレート１６は、液晶ディスプレイパネル６を背後から覆うような大きさを有し、このバックプレート１６の前面に液晶ディスプレイパネル６が例えばねじ止めのような手段で取り付けられている。
【００２０】
バックプレート１６の上縁にフロントカバー８の前壁１１に向けて略直角に折り返された第１のフランジ部１８が形成されている。同様にバックプレート１６の下縁にフロントカバー８の前壁１１に向けて略直角に折り返された第２のフランジ部１９が形成されている。第２のフランジ部１９の左端部および右端部は、前壁１１の内面から突出する複数のボス部２０にねじ２１を介して固定されている。
【００２１】
バックプレート１６の左右の側縁に前壁１１に向けて折り返された固定片２３が形成されている。固定片２３は、左右共通の構成を有するため、シャーシ１５を背後から見て左側に位置する固定片２３を代表して説明する。
【００２２】
図２および図３に示すように、固定片２３は、バックプレート１６の左側縁の略全長に亘って形成されている。固定片２３は、バックプレート１６の左側縁からフロントカバー８の前壁１１に向けて傾斜する傾斜部２４と、傾斜部２４の先端からバックプレート１６と直交するように前壁１１に向けて突出する突出部２５とを有している。突出部２５は、フロントカバー８の内側に入り込むとともに、フロントカバー８の側壁１２との間に僅かな隙間を存して側壁１２と向かい合っている。
【００２３】
図２および図５に示すように、フロントカバー８の側壁１２の内面に複数の係合爪２７が一体に形成されている。係合爪２７は、側壁１２の長手方向に間隔を存して一列に並んでいるとともに、側壁１２の内面からフロントカバー８の内側に向けて突出している。
【００２４】
係合爪２７と側壁１２との間に間隙２８が形成されている。間隙２８の一端は、係合爪２７と側壁１２との連結部によって閉じられている。間隙２８の他端は、フロントカバー８の後方に向けて開放している。このため、係合爪２７は、間隙２８を減じる方向に弾性変形が可能となっている。言い換えると、係合爪２７は、その一端が側壁１２に対し片持ち状態で支持されている。
【００２５】
さらに、係合爪２７のうち間隙２８とは反対側の面は、係合爪２７の先端の方向に進むに従い間隙２８に近づく方向に傾斜するガイド面２９となっている。
【００２６】
一方、側壁１２と向かい合う固定片２３の突出部２５は、係合爪２７に対応する位置に複数の係合孔３１を有している。係合孔３１は、係合爪２７よりも大きな四角い開口形状を有している。
【００２７】
係合孔３１を有するシャーシ１５の固定片２３は、フロントカバー８の背後からフロントカバー８の内側に差し込まれる。これにより、固定片２３の突出部２５の先端縁が係合爪２７のガイド面２９に摺動可能に接触し、このガイド面２９に沿ってフロントカバー８の側壁１２の内側に導かれる。この時、係合爪２７は、突出部２５の差し込み動作を妨げないように、固定片２３の突出部２５に押されて間隙２８を狭める方向に弾性的に変形する。
【００２８】
突出部２５の差し込みに伴い、突出部２５の係合孔３１が係合爪２７と合致すると、突出部２５による係合爪２７の押圧が解除される。そのため、係合爪２７が係合孔３１に入り込む方向に弾性的に復帰し、係合爪２７の一端が係合孔３１の開口縁部に引っ掛かる。この結果、シャーシ１５が液晶ディスプレイパネル６と一緒にフロントカバー８に固定される。図３に示すように、シャーシ１５がフロントカバー８に固定された状態では、シャーシ１５のバックプレート１６および固定片２３の傾斜部２４がフロントカバー８の外に突出するとともに、係合孔３１がフロントカバー８の開口端に位置している。
【００２９】
図３、図５および図６に示すように、フロントカバー８に固定されたシャーシ１５に複数の止め具３３が取り付けられている。止め具３３は、例えば金属板にプレス加工を施した板金プレス加工部品によって構成されている。止め具３３は、係合爪２７が係合孔３１の開口縁部に引っ掛かった状態を維持するように、係合爪２７と固定片２３との位置関係を規定するためのものである。
【００３０】
図５ないし図８に最もよく示されるように、止め具３３は、取り付け部３４、第１の係合片３５および一対の第２の係合片３６ａ，３６ｂを有している。取り付け部３４は、固定片２３の傾斜部２４から突出部２５に跨るように固定片２３の外面に重ねられている。取り付け部３４の中央部にねじ挿通孔３７が形成されている。ねじ挿通孔３７は、固定片２３に開けたねじ孔３８と合致している。
【００３１】
第１の係合片３５は、取り付け部３４から一体に延出されて、固定片２３の係合孔３１と向かい合っている。第１の係合片３５は、係合爪２７と側壁１２との間の間隙２８に入り込む爪押圧部４０と、爪押圧部４０と取り付け部３４との間に位置する傾斜部４１とを有している。爪押圧部４０は、係合爪２７が係合孔３１に入り込んだ状態を維持するように、係合爪２７を固定片２３とは反対側から押さえている。
【００３２】
第２の係合片３６ａ，３６ｂは、係合爪２７を間に挟んだ両側に振り分けられている。第２の係合片３６ａ，３６ｂは、夫々第１の部分４３と第２の部分４４とを有している。第１の部分４３は、第１の係合片３５の爪押圧部４０の先端から係合孔３１に向けて直角に折り返されて、係合爪２７を挟み込んでいる。第２の部分４３は、第１の部分４２の先端から固定片２３の突出部２５に沿うように直角に折り返されて、固定片２３の突出部２５の内面に接触している。このため、第２の係合爪３６ａ，３６ｂの第２の部分４３は、係合爪２７に対する第１の係合爪３５の押圧方向とは反対側から突出部２５の内面に接触している。
【００３３】
次に、止め具３３をシャーシ１５に取り付ける手順について説明する。
【００３４】
止め具３３は、シャーシ１５をフロントカバー８に固定した後に、シャーシ１５に取り付けられる。
【００３５】
先ず最初に、止め具３３の第２の係合片３６ａ，３６ｂを係合孔３１に差し込む。次に、第２の係合片３６ａ，３６ｂの第２の部分４４がシャーシ１５の固定片２３の突出部２５に沿うように止め具３３の向きを調整するとともに、止め具３３の第１の係合片３５を係合爪２７と側壁１２との間の間隙２８に差し込む。
【００３６】
これにより、図５ないし図７に示すように、止め具３３の第１の係合片３５が係合爪２７に引っ掛かるとともに、第２の係合片３６ａ，３６ｂが固定片２３の突出部２５に引っ掛かる。
【００３７】
具体的には、第１の係合片３５は、係合爪２７が係合孔３１から抜け出ないように係合爪２７を押さえている。第２の係合爪３６ａ，３６ｂの第１の部分４２は、係合孔３１の内側で係合爪２７を挟み込んでいる。第２の係合爪３６ａ，３６ｂの第２の部分４３は、係合爪２７に対する第１の係合片３５の接触方向とは反対側から固定片２３の突出部２５に接触している。
【００３８】
この結果、止め具３３は、係合爪２７が係合孔３１に入り込んだ状態を維持するように、係合爪２７とシャーシ１５の固定片２３との相対的な位置関係を規定している。
【００３９】
次に、止め具３３の取り付け部３４を固定片２３の外面に重ね合わせて、ねじ挿通孔３７をシャーシ１５のねじ孔３８に合致させる。最後に、固定ねじ４５をねじ挿通孔３７からねじ孔３８にねじ込むことで、止め具３３をシャーシ１５の固定片２３に締め付け固定する。この結果、止め具３３の存在により、係合孔３１からの係合爪２７の脱落が阻止され、シャーシ１５とフロントカバー８との固定状態が維持される。
【００４０】
このような本発明の実施の形態によると、シャーシ１５に締め付け固定された止め具３３により、フロントカバー８の係合爪２７がシャーシ１５の係合孔３１から外れるのを防いでいる。このため、液晶テレビ１に衝撃が加わった場合でも、係合爪２７と係合孔３１との係合部分の耐衝撃性が向上し、シャーシ１５をフロントカバー８に強固に固定できる。
【００４１】
さらに、止め具３３が係合爪２７と係合孔３１との係合状態を維持するので、係合孔３１の開口縁部に対する係合爪２７のラップ量を増やしたり、係合爪２７の弾性力を大きくする等して、係合爪２７が係合孔３１の開口縁部に強固に引っ掛かる構成を採用する必要はない。
【００４２】
そのため、例えば液晶テレビ１の保守点検時、あるいは液晶テレビ１の組み立て時にシャーシ１５をフロントカバー８から取り外す必要が生じた場合は、固定ねじ４５を弛めてシャーシ１５から止め具３３を取り外すことで、係合爪２７と係合孔３１との係合状態を容易に解除できる。よって、シャーシ１５をフロントカバー８から取り外す際の作業性が向上する。
【００４３】
加えて、上記構成によると、シャーシ１５は、その係合孔３１の開口縁部に係合爪２７を引っ掛けることでフロントカバー８に固定されるので、シャーシ１５の固定片２３の突出部２５とフロントカバー８の側壁１２との間に、専用の固定ねじや固定ねじを受けるボス部を収めるスペースを確保する必要はない。
【００４４】
そのため、固定片２３の突出部２５とフロントカバー８の側壁１２との間の間隔を極力狭めることができる。この結果、フロントカバー８をコンパクトに形成できるとともに、フロントカバー８のデザイン面での自由度が向上するといった意匠的な効果を得ることができる。
【００４５】
本発明は上記実施の形態に特定されるものではなく、発明の主旨を逸脱しない範囲内で種々変形して実施可能である。
【００４６】
例えば、シャーシを介して筐体の内部に収容される収容部品は、液晶ディスプレイパネルに制約されるものではなく、プリント回路板あるいはハードディスク駆動装置や光ディスク駆動装置のような記憶装置であってもよい。
【００４７】
さらに、止め具は金属製に限らず、合成樹脂製としてもよい。
【図面の簡単な説明】
【００４８】
【図１】本発明の実施の形態に係る液晶テレビの斜視図。
【図２】本発明の実施の形態において、フロントカバー、液晶ディスプレイパネル、シャーシおよび止め具の位置関係を示す斜視図。
【図３】本発明の実施の形態において、フロントカバーに止め具を用いてシャーシを固定した状態を示す斜視図。
【図４】本発明の実施の形態において、フロントカバーに止め具を用いてシャーシを固定した状態を示す背面図。
【図５】図４のF5-F5線に沿う断面図。
【図６】図４のF6-F6線に沿う断面図。
【図７】本発明の実施の形態において、シャーシの係合孔、フロントカバーの係合爪および止め具の位置関係を示す斜視図。
【図８】本発明の実施の形態に係る止め具の斜視図。
【符号の説明】
【００４９】
５…筐体、６…ディスプレイパネル（液晶ディスプレイパネル）、１５…シャーシ、２７…係合爪、３１…係合孔、３２…止め具。
【図１】
2009014754.tif 000003
【図２】
2009014754.tif 000004
【図３】
2009014754.tif 000005
【図４】
2009014754.tif 000006
【図５】
2009014754.tif 000007
【図６】
2009014754.tif 000008
【図７】
2009014754.tif 000009
【図８】
2009014754.tif 000010